(57)【要約】【課題】上位装置からの開放指令によってドロアを引き出すようにして、レジのセキュリティを高めることができる。【解決手段】収納筐体１に押し込まれたドロア２は、押し出しばね８０に当接することによってその引き出し方向に押圧されるが、ドロア２の後端面２ｂが所定位置まで達すると、ロックピン８１が収納筐体１内部で回動フック８２と係合するように構成されている。また、収納筐体１には、解錠用の電磁ソレノイド８３が回動フック８２に近接して配置され、そのアーム８３ａが回動フック８２に連結されている。電磁ソレノイド８３は、外部からの開放指令によって通電され、そのアーム８３ａによって回動フック８２が軸８２ａ廻りで時計方向に回転され、ロックピン８１との係合が解除されるように動作する。【選択図】図３
2008299567.tif 000002
【特許請求の範囲】
【請求項１】
同一金種の硬貨が所定の枚数積層されて棒状に包装された棒金硬貨を収納して管理する硬貨収納管理装置において、
前記棒金硬貨を収納する収納筐体と、
前記棒金硬貨が１本ずつ収納される複数の硬貨ポケットを有する収納トレーと、
前記収納トレーが一体に構成され、外部からの開放指令によって前記収納筐体の前面から引き出されるドロアと、
を備えたことを特徴とする硬貨収納管理装置。
【請求項２】
前記収納筐体は、前記ドロアが前記収納筐体から押し出される方向に作用する弾性部材を有していることを特徴とする請求項１記載の硬貨収納管理装置。
【請求項３】
前記ドロアは、前記収納筐体に押し込まれた状態で、前記収納筐体から引き出し不能にロックするとともに前記開放指令によって解錠される施解錠手段を備えたことを特徴とする請求項１記載の硬貨収納管理装置。
【請求項４】
前記施解錠手段は、前記ドロアおよび前記収納筐体の一方にロックピン、他方に回動フックを配置して構成されたものであって、前記ドロアが前記収納筐体に押し込まれた状態で、前記ロックピンと前記回動フックとが係合することを特徴とする請求項３記載の硬貨収納管理装置。
【請求項５】
前記施解錠手段は、前記開放指令によって前記回動フックを回動する解錠用の電磁ソレノイドを有していることを特徴とする請求項４記載の硬貨収納管理装置。
【請求項６】
前記施解錠手段は、さらに前記収納筐体の前面から手動操作される手動解錠機構を有していることを特徴とする請求項５記載の硬貨収納管理装置。
【請求項７】
前記手動解錠機構は、前記収納筐体の前面からスライド操作されるスライダを備え、前記スライダによって前記回動フックを手動で回動するようにしたことを特徴とする請求項６記載の硬貨収納管理装置。
【請求項８】
前記手動解錠機構は、さらに
前記スライダがスライドした時にその先端部により回動操作される回転盤と、
前記回転盤に一端が接続され、他端が前記回動フックに接続されたリンク機構と、
を備えることを特徴とする請求項７記載の硬貨収納管理装置。
【請求項９】
前記スライダは、前記収納筐体の前面側の基端に南京錠の掛け金が挿入可能な大きさの開口孔を備え、
前記掛け金を前記開口孔に挿入した状態で、前記収納筐体の前面側に前記南京錠を施錠状態で固定することによって、前記スライダをスライド不能状態としたことを特徴とする請求項８記載の硬貨収納管理装置。
【請求項１０】
前記スライダおよび前記南京錠は、前記収納筐体の前面から引き抜き自在に設けられていることを特徴とする請求項９記載の硬貨収納管理装置。
【請求項１１】
前記スライダおよび前記南京錠は、前記収納筐体の前面に設けた扉の内側に収納されていることを特徴とする請求項９記載の硬貨収納管理装置。
【請求項１２】
前記扉には、前記南京錠の鍵穴に対応する開口部が形成され、
前記扉を閉じた状態で前記南京錠を解錠することにより、前記掛け金を外したときの掛け金の移動によって前記スライダをスライド操作するようにしたことを特徴とする請求項１１記載の硬貨収納管理装置。
【発明の詳細な説明】
【技術分野】
【０００１】
本発明は、同一金種の硬貨が所定の枚数積層されて棒状に包装された棒金硬貨を収納して管理する硬貨収納管理装置に関し、とくに釣銭払出機などと一体に用いられ、釣銭準備金としての釣銭硬貨を収納しておいて必要時に釣銭硬貨の補充を可能にする硬貨収納管理装置に関する。
【背景技術】
【０００２】
近年、スーパーマーケットやコンビニエンスストアなどのレジには、ＰＯＳ（販売時点情報管理）システムのような上位装置に接続して、紙幣処理装置とともに受け取った硬貨を収納して釣銭として再利用することができる釣銭払出機が導入されている。
【０００３】
釣銭払出機とは、概略的には投入された硬貨を内部に自動的に取り込んで、それらを硬貨収納庫に収納するとともに、その入金情報を外部の上位装置に送信する硬貨保管機能と、また外部の上位装置からの釣銭払出要求に応じて、収納されている硬貨の入金情報を送信して、該当する金額を保管している硬貨から釣銭として払い出す釣銭払出機能とを有するものである。すなわち、入金硬貨を払い出し硬貨として再利用するリサイクル機能を持つことによって、釣銭払出機の容積を小型化できる。
【０００４】
この種の釣銭払出機では、その内部で特定の金種の硬貨が全て払い出されてしまうと、営業時間中であってもレジでの釣銭の払い出しが行えなくなる。そこで、レジ毎に釣銭払出機とは別の引き出しなどに、同一金種の硬貨が一定枚数だけ棒状にまとめて包装された棒金硬貨を釣銭準備金として保管しておくことで、釣銭硬貨が不足した時点で簡単かつ確実に補充できるようになる。
【０００５】
ところが、こうした棒金硬貨の管理に際しては、店舗の開店時に決まった本数の棒金硬貨を所定の位置に保管して、定期的にそれらの過不足をチェックする必要がある。また、レジ担当者の交代時には、釣銭払出機内部だけでなく、保管された棒金硬貨の残額をチェックする必要もあった。
【０００６】
例えば、特許文献１などで提案されている釣銭補充管理システムは、取り出された棒金硬貨と、釣銭用として補充されたバラ硬貨との間の対応を正確に管理し、かつ保管することができるようになっている。
【０００７】
図９は従来の釣銭補充管理システムの一例を示す図である。
この釣銭補充管理システムは、棒金収納庫１０１、硬貨釣銭機１０２およびＰＯＳレジスタ１０３から構成され、それぞれ制御ユニット１０１ａ，１０２ａ，１０３ａを有している。そのうち、棒金収納庫１０１の制御ユニット１０１ａは、硬貨釣銭機１０２の制御ユニット１０２ａと通信接続され、硬貨釣銭機１０２の制御ユニット１０２ａは、ＰＯＳレジスタ１０３の制御ユニット１０３ａと通信接続されている。棒金収納庫１０１は、収納庫本体に対してそれぞれ前方へ引き出し自在に設けられた３つの棒金ドロア１０４〜１０６を有している。各棒金ドロア１０４〜１０６には、特定金種の棒金硬貨をそれぞれ１本ずつに収納可能な複数の棒金収納部が設けられている。
【０００８】
例えば、上段／中段／下段の各棒金ドロア１０４〜１０６には、１円／１０円／１００円の棒金硬貨用の収納部が８つ、および５円／５０円／５００円の棒金硬貨用の収納部が２つずつ、それぞれ設けられる。なお、各収納部における棒金硬貨の収納姿勢は、棒金硬貨の軸線が棒金ドロア１０４〜１０６の引き出し方向と直交するような、横向きの水平姿勢である。また棒金収納庫１０１は、棒金ドロア１０４〜１０６の棒金収納部毎に棒金硬貨の有無を検知する棒金有無検知手段１０７を有している。そして、棒金収納庫１０１の制御ユニット１０１ａは、棒金有無検知手段１０７による検知結果を硬貨釣銭機１０２の制御ユニット１０２ａへ送信する検知結果送信手段としての機能を有している。
【０００９】
また、棒金収納庫１０１の本体前面には、棒金有無検知手段１０７による検知結果に基づいて各金種の棒金硬貨のＦＵＬＬ（満杯）／ＥＭＰＴＹ（品切）等の状態を表示する表示パネルが設けられている。
【００１０】
棒金収納庫１０１の引き出されていた棒金ドロア１０４〜１０６が手動で押し込まれる際に、棒金有無検知手段１０７は棒金ドロア１０４〜１０６の棒金収納部毎に、棒金硬貨の有無だけでなく、収納されている棒金硬貨の直径および中心孔の有無も特定することで、各収納部に存在する棒金硬貨が、本来収納すべき金種の棒金硬貨であるか否かを検知できるようになっている。
【００１１】
硬貨釣銭機１０２は、投入口１０２ｂ、識別手段１０２ｃ、選別手段１０２ｄ、金種別収納部１０２ｅおよび払出口１０２ｆを有している。したがって、取出棒金硬貨の包装を解いて得られたバラ硬貨が硬貨釣銭機１０２の投入口１０２ｂへ投入された際に、硬貨釣銭機１０２の制御ユニット１０２ａから識別手段１０２ｃによって識別されたバラ硬貨の金種および枚数と、棒金収納庫１０１における棒金有無検知手段１０７の検知結果に基づいて特定された取出棒金硬貨の金種および本数を比較することによって、両者間の対応を判定することができ、取り出された棒金硬貨と、釣銭用として補充されたバラ硬貨との間の対応を正確に管理することができるというものである。
【特許文献１】特開２００６−８５３３２号公報（段落番号［００１１］〜［００２４］、図１など）
【発明の開示】
【発明が解決しようとする課題】
【００１２】
上述した従来の棒金収納庫１０１では、レジ毎に大量の棒金硬貨を保管して、レジ担当者によって適宜に釣銭硬貨を補充できる。ところが、釣銭硬貨の補充や点検に際して、レジ担当者が各棒金ドロア１０４〜１０６を手動で引き出すようになっていた。そのため、レジ担当者が商品の販売価格を確認する等のためにレジを離れてしまうと、その間に棒金収納庫１０１のセキュリティが低下する。
【００１３】
そこで、ＰＯＳレジスタ１０３との間の通信機能を用いて得られる入出金情報に応じて、各棒金ドロア１０４〜１０６を施解錠することも考えられる。その場合、棒金収納庫１０１における棒金硬貨の出し入れについての履歴情報を確実に記憶することで、適正量の棒金硬貨を準備し、かつ不必要に棒金硬貨の出し入れをしないように、棒金硬貨を収納して管理する必要があった。
【００１４】
本発明はこのような点に鑑みてなされたものであり、上位装置からの開放指令によってドロアを引き出すようにして、レジのセキュリティを高めることができる硬貨収納管理装置を提供することを目的とする。
【課題を解決するための手段】
【００１５】
本発明では、上記問題を解決するために、同一金種の硬貨が所定の枚数積層されて棒状に包装された棒金硬貨を収納して管理する硬貨収納管理装置において、前記棒金硬貨を収納する収納筐体と、前記棒金硬貨が１本ずつ収納される複数の硬貨ポケットを有する収納トレーと、前記収納トレーが一体に構成され、外部からの開放指令によって前記収納筐体の前面から引き出されるドロアと、を備えたことを特徴とする硬貨収納管理装置が提供される。
【００１６】
この硬貨収納管理装置によれば、釣銭の補充が不要なときはドロアは閉められたままであり、釣銭の補充が必要なときのみ、外部からの開放指令によってドロアを引き出すようにしている。これにより、レジ担当者はもとより、第三者が勝手にドロアを引き出すことができないので、レジのセキュリティを高めることができる。
【発明の効果】
【００１７】
本発明の硬貨収納管理装置によれば、釣銭硬貨をレジで補充するための棒金硬貨を収納トレーに入れることで、収納された棒金硬貨の金種、本数などを適正に管理でき、しかもレジ担当者がレジを離れても、そのセキュリティを保持できる。
【発明を実施するための最良の形態】
【００１８】
以下、図面を参照してこの発明の実施の形態について説明する。
（第１の実施の形態）
図１は第１の実施の形態に係る硬貨収納管理装置を示す斜視図である。
【００１９】
この硬貨収納管理装置は、上面が平坦面をなし、収納筐体（棒金ストッカ）１の前面から引き出し可能なドロア２を備えている。ドロア２の内部には、複数本の棒金硬貨を１本ずつ収納するための硬貨ポケット３０〜３９および紙幣・商品券ポケット４０などを有する収納トレー５が配置されている。このうち、硬貨ポケット３０〜３４と３５〜３９は、それぞれ所定の横幅と縦方向長さで、かつ断面が所定の深さで半円形状の凹みとして収納トレー５の表面に形成されている。
【００２０】
図１では、ドロア２を三分の一程度まで収納筐体１から引き出した状態で、収納トレー５の縦方向に１０本分の棒金硬貨を収納するための硬貨ポケット３０〜３９と、一つの紙幣・商品券ポケット４０だけが図示されている。ここで、左側の５個の硬貨ポケット３０〜３４には、それぞれ所定枚数（通常は、５０枚）の１０円硬貨を棒状に包装した棒金硬貨（十円棒状硬貨）が１本ずつ収納され、中央の５個の硬貨ポケット３５〜３９には、同じく５０枚の１００円硬貨を棒状に包装した棒金硬貨（百円棒状硬貨）がそれぞれ１本ずつ収納される。なお、この収納トレー５には、硬貨ポケット３０〜３９および紙幣・商品券ポケット４０の他に、５０枚の１円硬貨を棒状に包装した棒金硬貨（一円棒状硬貨）を収納する５個の硬貨ポケット、バラ硬貨ポケット、紙幣・商品券ポケット４０の奥に配置されるもう一つの紙幣・商品券ポケット、五円棒状硬貨、五十円棒状硬貨、五百円棒状硬貨をそれぞれ収納する硬貨ポケットが配置されている。
【００２１】
また、このドロア２の前面には、複数個の硬貨ポケットにそれぞれ対応する表示ランプ６ａ〜６ｎを備えた発光表示装置が配置されている。表示ランプ６ａ〜６ｎは、２色の発光ダイオード（ＬＥＤ）を切り替えて表示することで、ドロア２が閉じられた状態であっても、目視で棒金硬貨の収納状態を把握して管理することができる。
【００２２】
なお、収納筐体１の上面には、図示しない自動釣銭機が載置される。また、ドロア２の前面右側には所定幅の切り欠き部２ａが形成され、ドロア２を引き出さなくても紙幣や商品券を収納トレー５の紙幣・商品券ポケット４０に挿入できるようになっている。
【００２３】
図２は収納トレーの硬貨ポケット毎に配置されたコイルセンサおよびフォトセンサを示す図であって、（ａ）は収納トレーを示す部分平面図、（ｂ）はそのＶ−Ｖ矢視断面図である。
【００２４】
コイルセンサ６０〜６９は、収納トレー５の背面で、硬貨ポケット３０〜３９毎に配置された磁気センサであって、各硬貨ポケット３０〜３９に適正状態で棒金硬貨が存在するかどうかを判断している。さらに、硬貨ポケット３０〜３９に存在している棒金硬貨の材質から、それぞれに適正な硬貨種類が収納されているかどうかも判断できる。
【００２５】
例えばコイルセンサ６０では、硬貨ポケット３０の左右側面に位置する円筒型コイル６０ａ，６０ｂがセンサ基板６０ｃ上に保持され、硬貨ポケット３０に棒状硬貨が適正な状態で収納されたかどうかを検知するとともに、そこに収納された棒状硬貨の材質からその金種を検知している。そして、他のコイルセンサ６１〜６４も、それぞれの硬貨ポケット３１〜３４に配置され、コイルセンサ６０と同様に構成されている。
【００２６】
また、楕円コイルセンサ６５〜６９は、５個の硬貨ポケット３５〜３９のそれぞれ底面裏側に配置され、そこに棒状硬貨が適正な状態で収納されたかどうかを検知するとともに、収納された棒状硬貨の材質からその金種を検知している。さらに、各硬貨ポケット３０〜３９には、棒金硬貨のうち穴あき硬貨に対応する長手方向中央部分を透過する光軸を有する第１のフォトセンサがそれぞれ設けられている。第１のフォトセンサは、例えば硬貨ポケット３０について示すように、発光素子７０ａと受光素子７０ｂをそれぞれ長手方向両端部分に配置して、そこに収納される棒金硬貨の長手方向中央部分を光が透過するように構成され、五円棒状硬貨、五十円棒状硬貨をそれ以外の棒金硬貨から識別判定する。
【００２７】
同様に、一円棒状硬貨、五円棒状硬貨、五十円棒状硬貨、五百円棒状硬貨をそれぞれ収納する硬貨ポケットについても、図２には示されていないが、楕円コイルセンサ６５〜６９、および発光素子７０ａと受光素子７０ｂからなる第１のフォトセンサと同様のものが、それぞれの底面裏側に配置されている。なお、五百円棒状硬貨の硬貨ポケットには、こうした棒金硬貨の長手方向中央部分を透過する第１のフォトセンサの他に、上端部分を長手方向に透過する光軸を有する第２のフォトセンサが配置され、最も径の大きな五百円棒状硬貨によって第２のフォトセンサが遮光されることで、五百円棒状硬貨の識別判定を行うようにしている。
【００２８】
図３は硬貨収納管理装置の施錠状態を示す図であって、（Ａ）は要部平面図、（Ｂ）は要部側面図である。
ドロア２は、図の下方から収納筐体１に対して、図示しないレール等に沿って水平に押し込まれるように構成されている。収納筐体１には、その内部にドロア２の押し出し方向に作用する弾性部材として、押し出しばね８０が固定されている。ドロア２には、施解錠手段として水平突起部８１ａが、ドロア２の後端面２ｂの中央よりやや右側位置に形成され、その上面にロックピン８１が垂直に植設されている。
【００２９】
収納筐体１に押し込まれたドロア２は、押し出しばね８０に当接することによってその引き出し方向に押圧されるが、ドロア２の後端面２ｂが所定位置まで達すると、ロックピン８１が収納筐体１内部で回動フック８２と係合するように構成されている。また、収納筐体１には、解錠用の電磁ソレノイド８３が回動フック８２に近接して配置され、そのアーム８３ａが回動フック８２に連結されている。
【００３０】
回動フック８２は、その先端部分が鉤状に形成されるとともに、その基端部近傍で軸８２ａによって支持され、収納筐体１の底面と並行する面内で回動可能に保持されている。電磁ソレノイド８３は、外部からの開放指令によって通電され、そのアーム８３ａによって回動フック８２を軸８２ａ廻りで時計方向に回転させるように動作する。また、電磁ソレノイド８３が非通電状態であれば、回動フック８２を図３に示す状態に保持する。
【００３１】
図４は硬貨収納管理装置の解錠状態を示す要部平面図である。
上述したように、電磁ソレノイド８３に対して外部から開放指令があると、そのアーム８３ａが回動フック８２を時計方向に回転させて、ロックピン８１との係合が解除される。そのとき、ドロア２は押し出しばね８０によって収納筐体１から押し出される。
【００３２】
なお、ドロア２を押し込んで回動フック８２をロックピン８１と係合させるためには、例えばドロア２により押し出しばね８０への押圧力を検知したとき、電磁ソレノイド８３を非通電状態にするなどして、回動フック８２を図３の状態に復帰させる。
【００３３】
したがって、硬貨収納管理装置はその上位装置との間の通信機能を用いて、そこからの開放指令に応じてドロア２を解錠することになるから、レジのセキュリティを高めることができる。また、ドロア２を外部からの開放指令によって施解錠するとともに、棒金硬貨の出し入れについての履歴情報を確実に記憶することで、適正量の棒金硬貨を準備し、かつ不必要に棒金硬貨の出し入れをしないように、棒金硬貨を収納して管理することができる。
【００３４】
（第２の実施の形態）
つぎに、外部からの開放指令がなくても、手動でドロア２を引き出せるようにした第２の実施の形態の硬貨収納管理装置について説明する。
【００３５】
図５は第２の実施の形態に係る硬貨収納管理装置を施錠した状態で示す要部平面図である。
押し出しばね８０、ロックピン８１、回動フック８２、および解錠用の電磁ソレノイド８３については、第１の実施の形態のものと同じである。ここでは、収納筐体１の前面から手動操作される手動解錠機構として、回転盤９１とリンク機構９２を有している点に特徴がある。
【００３６】
回転盤９１は、その盤面外周の一部に切り欠き９１ａが形成され、収納筐体１に押し込まれたドロア２の左隅後端位置に、軸９１ｂによって水平面内で回動自在に保持されている。この回転盤９１は、リンク機構９２によって回動フック８２と連結され、その回転動作を回動フック８２に伝達するように構成されている。また、収納筐体１とドロア２の左側面との間には、棒状のスライダが挿入可能なガイドスペースが形成され、このようなガイドスペースに沿って棒状のスライダを挿入するための開口部が、収納筐体１の前面に設けられている。
【００３７】
図６は第２の実施の形態に係る硬貨収納管理装置を解錠した状態で示す要部平面図である。
収納筐体１とドロア２の左側面との間に棒状スライダ９０を挿入して、その先端部を回転盤９１の切り欠き９１ａに当接させて、棒状スライダ９０を矢印方向に押圧する。これによって、回転盤９１が軸９１ｂ廻りで時計方向に回転する。このとき、リンク機構９２によって回転盤９１の回転力が回動フック８２に伝達されるから、回動フック８２を軸８２ａ廻りで時計方向に回転させて、ロックピン８１との係合を解除することができる。
【００３８】
したがって、停電などの非常時に、硬貨収納管理装置に対して外部からの開放指令が到達しない場合であっても、棒状のスライダを専用の工具として用意しておくことで、マニュアル操作によってドロア２を収納筐体１から引き出し、必要な釣銭硬貨を取り出すことができる。
【００３９】
（第３の実施の形態）
つぎに、専用の工具としての棒状スライダ９０を用いないで、南京錠を解錠するだけでドロア２のロックを解除するようにした例を説明する。
【００４０】
第２の実施の形態では、手動でドロア２を引き出す場合に専用の工具を用いていたため、硬貨収納管理装置のセキュリティを考慮すると、専用の工具自体を保管するなどの管理が必要であった。
【００４１】
図７は第３の実施の形態に係る硬貨収納管理装置の施錠状態を示す図であって、（Ａ）は要部側面図、（Ｂ）は要部平面図である。また、図８は第３の実施の形態に係る硬貨収納管理装置の解錠状態を示す図であって、（Ａ）は要部側面図、（Ｂ）は要部平面図である。
【００４２】
押し出しばね８０、ロックピン８１、回動フック８２、解錠用の電磁ソレノイド８３、回転盤９１、およびリンク機構９２については、第２の実施の形態のものと同じである。ここでは、収納筐体１の前面から手動で解錠操作するために、南京錠９３を用いた点に特徴がある。
【００４３】
図７において、収納筐体１とドロア２の左側面との隙間に、南京錠９３とスライダ９４が挿入されている。ドロア２には扉２１が一体に形成され、収納筐体１とドロア２の左側面との間の隙間は、ドロア２が押し込まれたときに扉２１により塞がれる。スライダ９４は、第２の実施の形態の棒状スライダ９０とは異なり、常時、収納筐体１に挿入されている。なお、図８に示すように、扉２１には南京錠９３の鍵を挿入するための開口２１ａが形成されている。
【００４４】
固定部９５は、収納筐体１の底面の所定位置から起立して設けられている。南京錠９３は、この固定部９５により収納筐体１の内部への移動が阻止されている。スライダ９４は、ガイド９６によってスライド可能に支持されており、その先端部は回転盤９１の切り欠き９１ａとの間に僅かなギャップを保持する位置まで延びている。
【００４５】
スライダ９４には、その収納筐体１の前面側の基端部に開口孔９４ａが形成され、ここに南京錠９３の掛け金９３ａが挿入される。収納筐体１からドロア２が引き出されているとき、南京錠９３は、その掛け金９３ａが施錠された状態で、収納筐体１の前面からドロア２の左側面とのスペースに押し込まれ、その後にドロア２が収納筐体１に押し込まれる。したがって、スライダ９４は南京錠９３と固定部９５によって直線方向へのスライドが不能な状態に保持される。
【００４６】
南京錠９３は、その施錠状態にあるとき、図７に示すように奥行き側に固定部９５があり、手前側には、ドロア２と一体に形成された扉２１があって、これらに挟まれることによって奥行き方向の移動が不能の状態にある。ここで、扉２１の開口２１ａから図示しない鍵を挿入して、南京錠９３を解錠すると、その掛け金９３ａがその本体から勢い良く飛び出してくる。その掛け金９３ａの飛び出しがスライダ９４を奥方向へ押し込むことになり、スライダ９４の先端部が回転盤９１の切り欠き９１ａを押圧し、回転盤９１を時計回り方向に回転させることになる。
【００４７】
こうして、回転盤９１の回転力は、リンク機構９２を介して回動フック８２に伝達され、回動フック８２が軸８２ａ廻りで時計方向に回転することにより、ロックピン８１との係合が解除される。図８には、南京錠９３を解錠して、その掛け金９３ａが外された状態を示している。
【００４８】
したがって、第３の実施の形態に係る硬貨収納管理装置では、南京錠９３の解錠時に掛け金９３ａが飛び出す方向に生じる弾発力を利用してドロア２のロックを解除することができ、しかもレジ担当者は南京錠９３の鍵だけを管理すればよく、レジのセキュリティをさらに高めることができる。
【００４９】
なお、硬貨収納管理装置を施錠するときは、掛け金９３ａがスライダ９４に挿入された状態のまま南京錠９３を前方へ引き出し、そのまま掛け金９３ａを南京錠９３の本体に押し込んで施錠してから南京錠９３の本体が固定部９５に当接するまでスライダ９４を奥に押し込み、最後に、回動フック８２がロックピン８１と係合されるまでドロア２を押し込むことになる。
【図面の簡単な説明】
【００５０】
【図１】第１の実施の形態に係る硬貨収納管理装置を示す斜視図である。
【図２】収納トレーの硬貨ポケット毎に配置されたコイルセンサおよびフォトセンサを示す図であって、（ａ）は収納トレーを示す部分平面図、（ｂ）はそのＶ−Ｖ矢視断面図である。
【図３】硬貨収納管理装置の施錠状態を示す図であって、（Ａ）は要部平面図、（Ｂ）は要部側面図である。
【図４】硬貨収納管理装置の解錠状態を示す要部平面図である。
【図５】第２の実施の形態に係る硬貨収納管理装置を施錠した状態で示す要部平面図である。
【図６】第２の実施の形態に係る硬貨収納管理装置を解錠した状態で示す要部平面図である。
【図７】第３の実施の形態に係る硬貨収納管理装置の施錠状態を示す図であって、（Ａ）は要部側面図、（Ｂ）は要部平面図である。
【図８】第３の実施の形態に係る硬貨収納管理装置の解錠状態を示す図であって、（Ａ）は要部側面図、（Ｂ）は要部平面図である。
【図９】従来の釣銭補充管理システムの一例を示す図である。
【符号の説明】
【００５１】
１  収納筐体（棒金ストッカ）
２  ドロア
５  収納トレー
６ａ〜６ｎ  表示ランプ
２１  扉
２１ａ  開口
８０  押し出しばね
８１  ロックピン
８２  回動フック
８３  電磁ソレノイド
９０  棒状スライダ
９１  回転盤
９２  リンク機構
９３  南京錠
９４  スライダ
９５  固定部
【図１】
2008299567.tif 000003
【図２】
2008299567.tif 000004
【図３】
2008299567.tif 000005
【図４】
2008299567.tif 000006
【図５】
2008299567.tif 000007
【図６】
2008299567.tif 000008
【図７】
2008299567.tif 000009
【図８】
2008299567.tif 000010
【図９】
2008299567.tif 000011